(57)【要約】【課題】良好なハンドルの回転操作性及び保持性を有する魚釣用リールのハンドルを提供することを目的とする。【解決手段】本発明の魚釣用リールのハンドル１は、リール本体に対して回転可能に支持されるハンドル軸５３に連結されるハンドルアーム３と、このハンドルアーム３の端部に設けた支軸に回転自在に取り付けられたハンドルツマミ７とを有する。ハンドルツマミ７は、親指と人差し指で挟持可能な対向する二面の扁平状握部７ｂと、この扁平状握部から軸方向端部に向けて形成される複数の凹凸条７ｃ，７ｄとを具備する。【選択図】    図１
2005245293.tif 000002
【特許請求の範囲】
【請求項１】
リール本体に対して回転可能に支持される駆動軸に連結されるハンドルアームと、このハンドルアームの端部に設けた支軸に回転自在に取り付けられたハンドルツマミとを有する魚釣用リールのハンドルにおいて、
前記ハンドルツマミは、親指と人差し指で挟持可能な対向する二面の扁平状握部と、この扁平状握部から軸方向端部に向けて形成される複数の凹凸条とを具備したことを特徴とする魚釣用リールのハンドル。
【請求項２】
前記凹凸条は、平面視でハンドルツマミの軸方向に向けて凸状に形成されていることを特徴とする請求項１に記載の魚釣用リールのハンドル。
【請求項３】
前記対向する扁平状握部は窪んでおり、ハンドルツマミの軸方向、及び／又は前記軸方向と直交する方向が、次第に膨出する厚肉部として形成されていることを特徴とする請求項１又は２に記載の魚釣用リールのハンドル。
【発明の詳細な説明】
【技術分野】
【０００１】
本発明は、リール本体内に収容された巻取り駆動機構に連結されて巻取り操作される魚釣用リールのハンドルに関する。
【背景技術】
【０００２】
一般的に、魚釣用リールのハンドルは、リール本体内に収容された巻取り駆動機構に連結される駆動軸（ハンドル軸）の端部に取り付け固定されるハンドルアームと、このハンドルアームの端部の支軸に回転自在に支持され、巻取り操作時に指で握持保持されるハンドルツマミとを備えて構成されている。
【０００３】
上記したハンドルツマミは、巻取り操作する際に手の指で摘んで回転操作されることから、例えば、特許文献１や特許文献２に開示されているように、摘んだ際に滑り難くするため、その外側面に、滑り止めの凹凸条を軸方向に向けて複数形成することが公知となっている。
【特許文献１】実開昭６２−１１９７７２号公報
【特許文献２】実開平４−６５０７１号公報
【発明の開示】
【発明が解決しようとする課題】
【０００４】
上記した特許文献１及び２に開示されているように、指で挟持されるハンドルツマミの外側面の軸方向に凹凸条を複数形成することによって、ハンドルツマミを指で挟持してハンドルを回転操作する際、滑りを抑制することが可能になるが、強く挟持すると凹凸条が指の腹面に食い込んでしまい、長時間のツマミ操作で指が痛くなる等、操作性に劣るという問題が生じる。また、馴染みやすくフィット感を良くするために、柔軟性のある材料でハンドルツマミを形成すると、凹凸条の凸部が可撓性を有することから、挟持したときに変形してしまい、強く保持した状態でのハンドル操作性や保持性に劣るという問題が生じる。
【０００５】
本発明は、上記した問題に基づいてなされたものであり、良好なハンドルの回転操作性及び保持性を有する魚釣用リールのハンドルを提供することを目的とする。
【課題を解決するための手段】
【０００６】
上記した目的を達成するために、本発明に係る魚釣用リールのハンドルは、リール本体に対して回転可能に支持される駆動軸に連結されるハンドルアームと、このハンドルアームの端部に設けた支軸に回転自在に取り付けられたハンドルツマミとを有しており、前記ハンドルツマミは、親指と人差し指で挟持可能な対向する二面の扁平状握部と、この扁平状握部から軸方向端部に向けて形成される複数の凹凸条とを具備したことを特徴とする。
【０００７】
上記した構成のハンドルツマミによれば、対向する二面の扁平状握部を設けたことにより、摘んだ際に凹凸条による食い込み部分が少なくなり、長時間のツマミ操作で指が痛くなることはなく、また、柔軟性を有する材料で形成しても、変形する部分が無いことから、操作性や保持性が劣るようなこともない。また、扁平状握部から軸方向端部に向けて複数の凹凸条を形成したことにより、ハンドルツマミの軸方向に沿っての滑りが効果的に防止でき、良好なハンドル回転操作性が得られる。
【発明の効果】
【０００８】
本発明によれば、良好なハンドルの回転操作性及び保持性を有する魚釣用リールのハンドルが得られる。
【発明を実施するための最良の形態】
【０００９】
図１乃至図５は、本発明の一実施形態を示す図であり、図１は、本発明に係るハンドルを装着した魚釣用リール（両軸リール）の一実施形態を示す図、図２は、図１に示すハンドルツマミの平面図、図３は、図１に示すハンドルツマミの側面図、図４は、図１におけるＡ−Ａ線に沿った断面図、そして、図５は、図１におけるＢ−Ｂ線に沿った断面図である。
【００１０】
図１に示すように、本実施形態のハンドル１は、両軸リール５０に対して回転可能に装着されている。この場合、両軸リール５０は、スプール５１をリール本体５２の左右側板間に回転可能に支持したものであり、前記スプール５１は、リール本体５２に回転可能に支持されたハンドル軸５３がハンドル１によって回転駆動されることにより巻取り駆動機構５４を介して釣糸巻取り方向に回転され、釣糸を巻回保持するようになっている。
【００１１】
前記ハンドル１は、前記ハンドル軸５３に回り止め固定されたハンドルアーム３と、ハンドルアーム３の端部にカシメ等によって支持された支軸５と、この支軸５に対し回転可能に支持されたハンドルツマミ７とを備えている。このハンドルツマミ７は、例えば、木材、硬質樹脂のように硬い材料、或いはコルクや発泡性樹脂のように柔軟性を有する材料で形成することが可能であり、ハンドルアーム３の一端部に設けられていても良いし、図に示すように、両端部に設けられていても良い。なお、図に示したハンドルツマミ７内には、軸方向中心領域において、軸方向に延出して前記支軸５を挿通させる貫通孔８ａを具備した支持部材８が装着されている。この支持部材８の先端側と支軸５の先端部との間には、軸受９が配設されており、ハンドルツマミ７を支軸５に対して滑らかに回転できるように支持している。
【００１２】
前記支軸５の端面には固定ビス１０が螺入されており、前記軸受９及びハンドルツマミ７を抜け止めしている。また、ハンドルツマミ７の外端面には、前記支軸５を露出できるように開口部７ａが形成されており、ここに開口部を閉塞するキャップ１３が装着されるようになっている。なお、キャップ１３に、オイル注入用の小孔１３ａを形成しておいても良い。
【００１３】
前記ハンドルツマミ７は、親指と人差し指で挟持される対向する二面の扁平状握部７ｂ（図２において楕円で囲まれる領域）を備えており、この扁平状握部７ｂから軸方向端部に向けて、夫々複数の凹凸条７ｃ，７ｄが形成されている。複数の凹凸条７ｃ，７ｄは、両扁平状握部において、挟持する指の両端側で、リール本体側端部、及び反リール本体側端部に向けて形成されていれば良く、挟持した際、各指が主として当て付く凹凸条非形成領域（中央平坦領域）を残して、前記各端部に向けて形成されていれば良い。
【００１４】
なお、図に示す構成では、複数の凹凸条７ｃ，７ｄは、その全てが扁平状握部７ｂの範囲内に位置するように形成されているが、端部側の一部、もしくは全てが扁平状握部７ｂの範囲外に形成されていても良い。また、凹凸条は、一方の端部側に向けて形成されていても良い。
【００１５】
上記したようにハンドルツマミ７の対向する二面に、扁平状握部７ｂを形成し、かつ凹凸条７ｃ，７ｄを形成したことにより、ハンドル回転操作時に、親指と人差し指でしっかり挟持保持できると共に、挟持した指の軸方向への滑り（図３及び図４において矢印方向に示す）が凹凸条７ｃ，７ｄで防止でき、良好なハンドル回転操作性が得られる。また、扁平状握部７ｂの中央領域は、凹凸条が形成されていないことから、親指と人差し指で挟持した際、凹凸条によって各指の腹面に食い込む部分が少なくなり、長時間のツマミ操作で指が痛くなることが防止される。さらに、ハンドルツマミ７を、柔軟性を有する材料で形成しても、凹凸条７ｃ，７ｄ部分は、滑り止めの機能を有する部分であって強い力で挟持されないことから、凸部が変形等することはない。
【００１６】
上記した凹凸条７ｃ，７ｄは、図２に示すように、平面視でハンドルツマミの軸方向に向けて凸状に形成しておくことが好ましい。すなわち、複数の凹凸条７ｃは、その中央部分７ｃ´がリール本体側に向けて突出するように湾曲形成されており、複数の凹凸条７ｄは、その中央部分７ｄ´が反リール本体側に向けて突出するように湾曲形成されている。
【００１７】
このような凹凸条の湾曲形状によれば、指の軸方向への滑りを効果的に防止できると共に、指への当たりを緩衝することができるので、ハンドルツマミ７を回転操作した際の局部的な痛みを感じさせることなく、しっかりとハンドルツマミ７の扁平状握部を挟持できるようになる。
【００１８】
また、ハンドルツマミ７に形成される凹凸条は、凹凸条７ｄのように周囲を巻回するように形成されていても良いし、凹凸条７ｃのように、周囲を巻回することなく、各片面側において、両端部を終端させた構成であっても良い。
【００１９】
この場合、図５に示すように、ハンドルツマミ７の断面形状を略楕円形状とし、かつ前記凹凸条７ｃのように、両端部を各曲面部７ｆで終端させるように構成することで、凹凸条の溝部分の端部が外方に露出するようになり、この結果、魚釣時において、手の指に付着した魚のヌメリやゴミ等が、ハンドル回転操作時に凹凸条の溝内に入り込んでも、それらを容易にかき出すことが可能となる。すなわち、ハンドルツマミが汚れたり、あるいは凹凸条の溝内に入り込んだ付着物によって、滑りが生じたり、保持性が低下することが防止できるようになる。
【００２０】
また、上記した対向する扁平状握部７ｂは、図３〜図５に示すように、窪むように形成し、ハンドルツマミの軸方向、及び軸方向と直交する方向が、次第に膨出する厚肉部７ｈとして形成されていることが好ましい。
【００２１】
このように、扁平状握部７ｂの中央領域を窪ませ、その周囲を厚肉化しておくことにより、挟持する指がフィット感良く窪んだ領域に位置してハンドルツマミ全体をしっかり挟持することが可能となり、最適なハンドル回転操作性が得られるようになる。なお、この場合、厚肉部７ｈは、ハンドルツマミの軸方向、又は軸方向と直交する方向のいずれか一方に形成されていても良い。
【００２２】
以上、本発明の実施形態について説明したが、本発明は上記した実施形態に限定されることはなく、例えば、以下のように実施することが可能である。
【００２３】
上記した実施形態では、扁平状握部７ｂの中央領域を窪ませたが、図６及び図７に示すように、扁平状握部７ｂは、中央領域を窪ませること無く、平坦状に形成しておいても良い。また、扁平状握部７ｂの平面形状についても適宜変形することが可能である。また、複数の凹凸条の形状、幅、深さ、個数についても適宜変形することが可能である。また、上記した実施形態では、適用される魚釣用リールとして両軸リールを用いたが、上記したハンドルツマミを有するハンドルは、スピニングリール等、各種のリールに適用することが可能である。
【図面の簡単な説明】
【００２４】
【図１】本発明に係るハンドルを装着した魚釣用リールの一実施形態を示す図。
【図２】図１に示すハンドルツマミの平面図。
【図３】図１に示すハンドルツマミの側面図。
【図４】図１におけるＡ−Ａ線に沿った断面図。
【図５】図１におけるＢ−Ｂ線に沿った断面図。
【図６】ハンドルツマミの変形例を示す平面図。
【図７】図６におけるＣ−Ｃ線に沿った断面図。
【符号の説明】
【００２５】
１  ハンドル
３  ハンドルアーム
５  支軸
７  ハンドルツマミ
７ｂ  扁平状握部
７ｃ，７ｄ  凹凸条
５０  両軸リール（魚釣用リール）
５３  ハンドル軸（駆動軸）
【図１】
2005245293.tif 000003
【図２】
2005245293.tif 000004
【図３】
2005245293.tif 000005
【図４】
2005245293.tif 000006
【図５】
2005245293.tif 000007
【図６】
2005245293.tif 000008
【図７】
2005245293.tif 000009